(57)【要約】【課題】装置サイズの小型化を可能にした照明装置及びシフトインジケータを提供する。【解決手段】照明装置１７は、光源（ＬＥＤ）の光を明るく照らすようにして意匠面１０に当てる遮光部材１９を備える。遮光部材１９には、複数の凹部２２が形成され、これら凹部２２内に光源（ＬＥＤ）が実装されている。光源（ＬＥＤ）は、遮光部材１９に形成された配線（パターン配線）を通じて、接続部２７に電気接続されている。遮光部材１９は、基板２０に形成されたソケット部２８ａに接続部２７を係止することにより、基板２０に接続されている。【選択図】図３
2019099006.tif 000002
【特許請求の範囲】
【請求項１】
光源と意匠面との間に配置され、前記光源の光を規定範囲に制限して前記意匠面まで導く遮光部材を備えた照明装置において、
前記遮光部材に前記光源を直に実装し、前記遮光部材に形成された配線を通じて前記光源と電気的に繋がる当該遮光部材の接続部を、基板に設けられた被接続部に接続することにより、前記遮光部材及び前記基板が電気的に繋がる照明装置。
【請求項２】
前記被接続部は、前記接続部が挿し込み接続されるソケット部である
請求項１に記載の照明装置。
【請求項３】
前記接続部は、表面に第１端子部が露出された形状に形成され、
前記被接続部は、前記接続部を挿し込む凹形状に形成されるとともに、内周面に前記第１端子部と電気接続される第２端子部を有する形状に形成され、
前記遮光部材は、前記接続部を前記被接続部に挿し込みつつ互いの端子部を接続する接続構造をとる
請求項１又は２に記載の照明装置。
【請求項４】
前記遮光部材は、有底状の凹部が形成され、
前記光源は、光の照射向きが前記凹部の開口方向を向くように凹部内に収納されている
請求項１〜３のうちいずれか一項に記載の照明装置。
【請求項５】
シフト操作の選択候補となるシフト位置が表記された意匠面とその光源との間に配置され、前記光源の光を規定範囲に制限して前記意匠面まで導く遮光部材を備えたシフトインジケータにおいて、
前記遮光部材に前記光源を直に実装し、前記遮光部材に形成された配線を通じて前記光源と電気的に繋がる当該遮光部材の接続部を、基板に設けられた被接続部に接続することにより、前記遮光部材及び前記基板が電気的に繋がるシフトインジケータ。
【発明の詳細な説明】
【技術分野】
【０００１】
本発明は、意匠面に光を照射する照明装置及びシフトインジケータに関する。
【背景技術】
【０００２】
従来、車両のシフトインジケータ等に使用される照明装置が周知である（特許文献１等参照）。この種の照明装置は、基板にＬＥＤ（光源）が実装され、シフトインジケータの意匠面を光源の光で照明するために、意匠面との間に遮光部材（ランプシェード）が設けられる。
【先行技術文献】
【特許文献】
【０００３】
【特許文献１】特開２００９−４６００３号公報
【発明の概要】
【発明が解決しようとする課題】
【０００４】
基板に光源のＬＥＤが実装される構造の場合、光源の光が周りに漏れないように、遮光部材を基板に接触、又は極力近づけて配置する必要がある。こうなると、基板の実装面のうち、遮光部材が位置する範囲は、電子部品を実装できない禁止領域（禁止帯）となってしまう。よって、基板のサイズが大きくならざるを得なくなり、これが装置サイズの小型化に支障を来していた。
【０００５】
本発明の目的は、装置サイズの小型化を可能にした照明装置及びシフトインジケータを提供することにある。
【課題を解決するための手段】
【０００６】
前記問題点を解決する照明装置は、光源と意匠面との間に配置され、前記光源の光を規定範囲に制限して前記意匠面まで導く遮光部材を備えた構成において、前記遮光部材に前記光源を直に実装し、前記遮光部材に形成された配線を通じて前記光源と電気的に繋がる当該遮光部材の接続部を、基板に設けられた被接続部に接続することにより、前記遮光部材及び前記基板が電気的に繋がる。
【０００７】
本構成によれば、光源が遮光部材に直に実装されるので、遮光部材の接続部と基板の被接続部とによる電気的接続部分以外において、組み付け状態で遮光部材と基板とを所定間隔離した状態をとることが可能となる。これにより、基板の実装面は、電子部品を取り付けることができない禁止領域が被接続部周りのみに制限されるので、禁止領域を大幅に減らすことが可能となる。このため、基板のサイズが小さく済む。よって、基板の小型化を通じて、照明装置の装置サイズを小型にすることが可能となる。
【０００８】
前記照明装置において、前記被接続部は、前記接続部が挿し込み接続されるソケット部であることが好ましい。この構成によれば、遮光部材の接続部をソケット部に挿し込んで取り付けることが可能となるので、これらの接続部分で電気的な接続だけでなく、組み付けも可能となる。
【０００９】
前記照明装置において、前記接続部は、表面に第１端子部が露出された形状に形成され、前記被接続部は、前記接続部を挿し込む凹形状に形成されるとともに、内周面に前記第１端子部と電気接続される第２端子部を有する形状に形成され、前記遮光部材は、前記接続部を前記被接続部に挿し込みつつ互いの端子部を接続する接続構造をとることが好ましい。この構成によれば、接続部や被接続部を、例えば２次成形等の簡素な工程によって製造することが可能となる。
【００１０】
前記照明装置において、前記遮光部材は、有底状の凹部が形成され、前記光源は、光の照射向きが前記凹部の開口方向を向くように凹部内に収納されていることが好ましい。この構成によれば、凹部の開口から光源の光を導いて、十分な光量の光によって意匠面を照明することが可能となる。
【００１１】
前記問題点を解決するシフトインジケータは、シフト操作の選択候補となるシフト位置が表記された意匠面とその光源との間に配置され、前記光源の光を規定範囲に制限して前記意匠面まで導く遮光部材を備えた構成において、前記遮光部材に前記光源を直に実装し、前記遮光部材に形成された配線を通じて前記光源と電気的に繋がる当該遮光部材の接続部を、基板に設けられた被接続部に接続することにより、前記遮光部材及び前記基板が電気的に繋がる。
【発明の効果】
【００１２】
本発明によれば、装置サイズを小型化することができる。
【図面の簡単な説明】
【００１３】
【図１】一実施形態のシフト装置の斜視図。
【図２】シフトインジケータの斜視図。
【図３】シフトインジケータ（照明装置）の分解斜視図。
【図４】光源が実装された遮光部材の平面図。
【図５】遮光部材及び基板の接続構造を示す斜視図。
【図６】遮光部材が基板に組み付けられた状態を示す側視図。
【図７】図６のII−II線断面図。
【発明を実施するための形態】
【００１４】
以下、照明装置及びシフトインジケータの一実施形態を図１〜図７に従って説明する。
図１に示すように、車両用のシフト装置１は、シフト位置を切り替える際に操作するシフト操作部２と、シフト操作部２を操作可能に支持するハウジング３とを備える。シフト操作部２は、レバー状に延びる操作本体部４の一点を軸支点としてハウジング３の案内溝５に沿って回動操作（揺動操作）されることにより、シフト位置を切り替えるレバー式である。シフト位置には、例えば「パーキング位置（Ｐ位置）」、「リバース位置（Ｒ位置）」、「ニュートラル位置（Ｎ位置）」、「ドライブ位置（Ｄ位置）」、「スポーツモード位置（マニュアルモードともいう：Ｓ位置）」、「シフトアップ位置（＋位置）」、「シフトダウン位置（−位置）」がある。
【００１５】
シフト装置１のハウジング３には、シフト操作部２の隣位置に、現在選択下にあるシフト位置を表示するシフトインジケータ８が設けられている。シフトインジケータ８には、各シフト操作の表示体９が表記された意匠面１０が設けられている。意匠面１０は、板状のパネル部材からなり、ハウジング３の表面と面一となるように配置されている。意匠面１０には、表示体９として「Ｐ」表示体９ａ、「Ｒ」表示体９ｂ、「Ｎ」表示体９ｃ、「Ｄ」表示体９ｄ、セレクト方向移動表示体９ｅ、「Ｓ」表示体９ｆ、「＋」表示体９ｇ、「−」表示体９ｈが設けられている。
【００１６】
図２に示すように、シフトインジケータ８は、前述の意匠面１０と、シフトインジケータ８の筐体部分をなすケース１３と、ケース１３の底面を塞ぐカバー１４とを備える。本例の場合、ケース１３の表面に意匠面１０が取り付けられ、ケース１３の背面にカバー１４が取り付けられる。なお、意匠面１０及びカバー１４をケース１３に組み付ける構造は、従来から周知の種々の構造を適用することができる。
【００１７】
図３に示すように、シフトインジケータ８は、意匠面１０を照明する照明装置１７を備える。照明装置１７は、光源１８（図４参照）の光を規定範囲に制限して意匠面１０に当てる遮光部材１９を通じて、意匠面１０を照明する。本例の光源１８は、例えばＬＥＤからなる。光源１８は、基板２０ではなく遮光部材１９に設けられ、シフト操作部２の操作パターンに沿って複数配置されている。これら光源１８は、遮光部材１９の本体部２１に設けられた有底状の凹部２２に各々配置されている。また、遮光部材１９は、意匠面１０と光源１８との間に配置され、光源１８の光を規定範囲に制限して意匠面１０まで導く。
【００１８】
図４に示すように、光源１８は、遮光部材１９に直に実装され、本例の場合、凹部２２の底面に取り付けられている。光源１８は、光の照射向きが凹部２２の開口方向を向くように凹部２２内に収納されている。光源１８は、Ｐ位置表示用の凹部２２ａ内に配置された光源１８ａと、Ｒ位置表示用の凹部２２ｂ内に配置された光源１８ｂと、Ｎ位置表示用の凹部２２ｃ内に配置された光源１８ｃと、Ｄ位置表示用の凹部２２ｄ内に配置された光源１８ｄと、セレクト方向移動用の凹部２２ｅ内に配置された光源１８ｅと、Ｓ位置表示用の凹部２２ｆ内に配置された光源１８ｆとを備える。
【００１９】
これら光源１８は、２つの光学素子２３，２４が１組となっている。本例の場合、一方の光学素子２３は、インジケータ用であって、各シフト位置で異なる発光色のＬＥＤが使用されている。また、他方の光学素子２４は、夜間照明用であって、全シフト位置同色で選択時に光るＬＥＤが使用されている。
【００２０】
図３に戻り、遮光部材１９は、光源１８と電気的に繋がるように形成された接続部２７を、基板２０に設けられた被接続部２８に接続することにより、基板２０に組み付けられている。接続部２７は、略直方体状をなすとともに、遮光部材１９の本体部２１の側面から下方に延びるように突設されている。被接続部２８は、例えば接続部２７を挿し込み接続することが可能なソケット部２８ａからなる。被接続部２８は、基板２０に実装された取り付け状態をとるとともに、接続部２７が内嵌されるように形成されている。基板２０の裏面には、シフトインジケータ８を外部と電気接続するコネクタ２９が形成されている。コネクタ２９は、カバー１４に開口形成された孔部３０からケース外に露出される。遮光部材１９は、組み付け時、ケース１３に貫設された挿通孔３１に嵌め込まれる。
【００２１】
図３及び図４に示すように、光源１８は、遮光部材１９に形成された配線３３を通じて接続部２７に電気接続されている。配線３３は、光源１８ごとに複数設けられ、例えば２次成形によって各光源１８と接続部２７とを電気接続するように遮光部材１９に形成されている。このように、配線３３は、例えば遮光部材１９に直に形成されたパターン配線からなる。配線３３は、遮光部材１９の表面を沿うようにして形成される。
【００２２】
図５に示すように、接続部２７は、表面に第１端子部４１が露出された形状に形成されている。第１端子部４１は、遮光部材１９に形成された配線３３において接続部２７に位置する配線端部である。被接続部２８（ソケット部２８ａ）は、接続部２７を挿し込む凹形状に形成されるとともに、内周面に第１端子部４１と電気接続される第２端子部４２を有する形状に形成されている。遮光部材１９は、接続部２７を被接続部２８（ソケット部２８ａ）に挿し込みつつ互いの端子部（第１端子部４１、第２端子部４２）を接続する接続構造をとる。
【００２３】
また、接続部２７及び被接続部２８は、スナップフィット構造によって係止されている。本例の場合、被接続部２８の開口内面に形成された突起部３６を、接続部２７の外面に形成された切欠部３７に係止することにより、接続部２７と被接続部２８とが係止されている。
【００２４】
次に、図６及び図７を用いて、本実施形態の照明装置１７（シフトインジケータ８）の作用及び効果について説明する。
図６に示すように、遮光部材１９に光源１８を直に実装し、遮光部材１９に形成した接続部２７を基板２０上の被接続部２８に接続する構造であるので、遮光部材１９と基板２０とをケース１３に組み付けた場合、遮光部材１９と基板２０との間には、所定間隔の隙間３８が形成される。このように、本例の場合、遮光部材１９が基板２０に接触、又は極端に接近する組付状態をとらない。これにより、本例の基板２０においては、基板２０上に電子部品を実装できなくなる禁止領域が大幅に少なくなる。よって、基板２０を小さくしても、電子部品を実装するのに必要な搭載スペースを確保することが可能となるので、基板２０の小型化が可能となる。
【００２５】
また、例えば光源１８が実装された基板２０と遮光部材１９とをケース１３に組み付ける構造の場合、基板２０のばらつきや光源１８のばらつき（実装ばらつきも含む）を許容するために、遮光部材１９をある程度大きいサイズのものとする必要がある。一方、本例の場合、遮光部材１９に光源１８を直に実装して基板２０に接続する構造であるので、遮光部材１９が基板２０や光源１８のばらつきに影響を受けない。よって、遮光部材１９も小型化することが可能となる。
【００２６】
特に、本例の場合、光源１８を遮光部材１９に直に取り付けるので、遮光部材１９と光源１８との位置関係が精度よく決まる。これにより、遮光部材１９の凹部２２のサイズ（穴の開口大きさのみならず深さも含む）も小さく済む。よって、これも遮光部材１９のサイズ小型化に寄与する。
【００２７】
また、本例の場合、光源１８を遮光部材１９に形成するので、基板２０に光源１８の配線（パターン配線）を設ける必要がない。このため、光源１８の配置に合わせて配線（パターン配線）を基板２０に引く必要がなくなるので、基板２０の配線自由度を向上することも可能となる。
【００２８】
さて、本例の場合、光源１８が遮光部材１９に直に実装されるので、遮光部材１９の接続部２７と基板２０の被接続部２８とによる電気的接続部分以外において、組み付け状態で遮光部材１９と基板２０とを所定間隔離した状態をとることが可能となる。これにより、基板２０の実装面は、電子部品を取り付けることができない禁止領域が被接続部２８周りのみに制限されるので、禁止領域を大幅に減らすことが可能となる。このため、基板２０のサイズが小さく済む。よって、基板２０の小型化を通じて、照明装置１７（シフトインジケータ８）の装置サイズを小型にすることができる。
【００２９】
被接続部２８は、接続部２７が挿し込み接続されるソケット部２８ａである。よって、遮光部材１９の接続部２７をソケット部２８ａに挿し込んで取り付けることが可能となるので、これらの接続部分で電気的な接続だけでなく、組み付けも行うことができる。
【００３０】
遮光部材１９は、表面に第１端子部４１が露出形成された接続部２７を、凹部内に第２端子部４２を有する被接続部２８に挿し込む接続構造をとる。これにより、接続部２７は、表面に第１端子部４１が露出された形状とすればくよく、また、被接続部２８は、接続部２７を挿し込む凹形状で、かつ内周面に接続部２７の第１端子部４１と電気接続される第２端子部４２を有する形状とすればよい。よって、接続部２７や被接続部２８を、例えば２次成形等の簡素な工程によって製造することができる。
【００３１】
遮光部材１９は、有底状の凹部２２が形成され、光源１８は、光の照射向きが凹部２２の開口方向を向くように凹部２２内に収納されている。よって、凹部２２の開口から光源１８の光を導いて、十分な光量の光によって意匠面１０を照明することができる。
【００３２】
遮光部材１９には、光源１８と接続部２７とを電気的に繋ぐ配線３３が形成されている。よって、光源１８及び配線３３の両方が実装された一体部品の遮光部材１９とすることができる。
【００３３】
図７に示すように、接続部２７及び被接続部２８（ソケット部２８ａ）は、スナップフィット構造によって係止されている。よって、接続部２７及び被接続部２８（ソケット部２８ａ）の係止構造を簡素なもので済ますことができる。
【００３４】
なお、本実施形態は、以下のように変更して実施することができる。本実施形態及び以下の変更例は、技術的に矛盾しない範囲で互いに組み合わせて実施することができる。
・突起部３６及び切欠部３７の組は、複数組形成されていてもよい。
【００３５】
・接続部２７及び被接続部２８（ソケット部２８ａ）の接続構造は、スナップフィット構造に限定されず、これらの電気接続状態を確保できる方法であれば、他の方法に変更してもよい。
【００３６】
・接続部２７及び被接続部２８は、電気接続部分で固定される必要はなく、他の箇所でこれらの位置決め固定を行えばよい。
・遮光部材１９は、接続部２７及び被接続部２８の箇所のみで基板２０に支持されることに限定されず、他の箇所で基板２０に組み付け支持されてもよい。
【００３７】
・接続部２７は、外周面に配線３３が配列された構造に限定されない。例えば、接続部２７を穴形状とし、その内部に端子（ピン）を複数設けた形状としてもよい。
・被接続部２８は、ソケット部２８ａに限定されず、接続部２７を接続できる形状や部材であればよい。
【００３８】
・被接続部２８（ソケット部２８ａ）を接続部２７に取り付ける場合、種々の取り付け構造が採用可能である。
・光源１８は、２つの光学素子２３，２４が１組となった構成に限らず、１つの光学素子のみとしてもよい。
【００３９】
・複数の光源１８の並びは、必要とするパターンに適宜変更してもよい。
・意匠面１０の形状（デザイン）は、照明装置１７が搭載される部材に応じて適宜変更してもよい。
【００４０】
・遮光部材１９は、２次成形ではなく、例えばインサート成形によって製造されてもよい。この場合、例えば金型内に配線３３を配置して金型に樹脂を注入することにより、金属の配線３３が実装された樹脂材が成形される。そして、配線３３が形成された樹脂材に対し、各凹部２２に光源１８（光学素子２３，２４）を実装することにより、光源１８が直に実装された遮光部材１９が製造される。この場合、配線３３を遮光部材１９の内部に埋め込むことが可能となるので、配線３３を遮光部材１９の表面に露出しないようにすることができる。
【００４１】
・光源１８と接続部２７とを繋ぐ配線３３は、遮光部材１９にパターン配線に限定されず、電気接続可能な配線であればよい。
・凹部２２の穴形状は、光源１８の光を引き出すことができれば、他の形状に変更してもよい。
【００４２】
・遮光部材１９の形状は、実施形態以外の他の形状に適宜変更可能である。
・照明装置１７は、シフトインジケータ８に適用されることに限定されず、他の装置や機器に使用してもよい。
【符号の説明】
【００４３】
８…シフトインジケータ、１０…意匠面、１７…照明装置、１９…遮光部材、１８…光源、１８ａ〜１８ｆ…光源、２２…凹部、２２ａ〜２２ｆ…凹部、２７…接続部、２８…被接続部、２８ａ…ソケット部、３３…配線、４１…第１端子部、４２…第２端子部。
【図１】
2019099006.tif 000003
【図２】
2019099006.tif 000004
【図３】
2019099006.tif 000005
【図４】
2019099006.tif 000006
【図５】
2019099006.tif 000007
【図６】
2019099006.tif 000008
【図７】
2019099006.tif 000009